(57)【要約】      （修正有）【課題】本体ケースを吊り下げバンドによって首からつり下げ、作業者の前方位置において本体ケースを保持した状態のまま、素早く電池交換が可能な携帯型の地絡点探査装置を提供する。【解決手段】装置本体を吊り下げバンドによって首からつり下げ、作業者の前方位置において装置本体を保持し、汎用電池を電源とする携帯型の地絡点探査装置において、装置本体の表面パネル１５ｂ上に、汎用電池の交換時期を表示する表示部３と、汎用電池を着脱自在とした電池収容部２と、を備える。【選択図】図１
2014235071.tif 000002
【特許請求の範囲】
【請求項１】
装置本体を吊り下げバンドによって首からつり下げ、人の前面位置において装置本体を保持し、汎用電池を電源とする携帯型の地絡点探査装置において、汎用電池の交換時期を表示する表示部と、装置本体の上面に設けられ汎用電池を着脱自在とした電池収容部と、を備えることを特徴とする携帯型地絡点探査装置。
【請求項２】
前記表示部が装置本体上面に設けられており、該表示部が作業者から見て前記電池収容部より前方にあることを特徴とする請求項１記載の携帯型地絡点探査装置。
【請求項３】
前記電池収容部には電池を覆い隠す電池蓋部が備えられ、該電池蓋部には電池蓋部を開閉操作するための開閉操作部が設けられるとともに、該開閉操作部は作業者から見て前方に設けられていることを特徴とする請求項２記載の携帯型地絡点探査装置。
【請求項４】
前記電池収容部は着脱自在の汎用電池の長手方向が前後方向に向くように配置されていることを特徴とする請求項１乃至請求項３記載のうち何れか一項に記載の携帯型地絡点探査装置。
【発明の詳細な説明】
【技術分野】
【０００１】
本発明は、電池収容部を備えた携帯型の地絡点探査装置に関するものである
【背景技術】
【０００２】
発電所または変電所において、その設備の内部や、配線などの絶縁が劣化し、地絡が発生すると、発電や変電などの運転に支障をきたす場合がある。
【０００３】
一般に、発電所または変電所においては、電源の上流側から下流側に向かって給電線であるフィーダーが複数枝分かれしている。その線路長は数百メートルから数キロメートルに亘る場合があり、地絡が発生すると、電圧変動や停電などの影響が発電所や変電所配下の広範囲に亘って及ぶおそれがある。このため、速やかに地絡箇所の発見、復旧を行わなければならない。
【０００４】
発電所または変電所の設備の電気系統は、直流で動作しているものが多く、線路で発生する地絡は直流の地絡であることが多い。ここで直流の地絡を検出する原理について簡単に説明すると、特許文献１に開示されているように、直流電路の接地線に対して交流の探査信号を注入し、該探査信号を線路上で検出することにより地絡箇所を発見する方法が公知である。
【０００５】
より詳しくは、直流電路の正極、負極に、夫々探査信号を発生させるための可変抵抗を介して接地された抵抗を設ける。そして、これらの可変抵抗を可変させ接地線に対して交流の探査信号を発生させる。すると、線路において地絡が発生している箇所においては前記交流の探査信号が流れるから、その探査信号を変流器で検出することにより、地絡電流を検出する。
【０００６】
この原理を使った携帯型の地絡点探査装置は、探査信号発生器と携帯器とのセットで構成されている。探査信号発生器は、接地線に探査信号を発生させるものであり、携帯器は前記探査信号発生器から出力される探査信号と予め同期をとった後に分離して持ち運ぶものである。携帯器は、前記同期をとった探査信号を内部で基準信号として用い、同期整流によって地絡電流を検出する。
【０００７】
前記携帯器は、前記探査信号発生器の探査信号と、携帯器の内部信号が長時間に渡ってズレないように設定されているため、携帯器を探査信号発生器から分離して持ち運んでも、正確に地絡箇所を探査することが可能な構成となっている。
【０００８】
非特許文献１は特許文献１の携帯器を具体化したものである。この携帯器は、分離して持ち運ぶ必要があるため、内部に電源を有するが、電源として汎用電池を用いている。
【０００９】
ここで、なぜ汎用電池を電源としているかであるが、携帯器用として専用に作成された専用電池であると、該専用電池を予め準備しておいたり、急な所要時にすぐには入手できない可能性があるからである。汎用電池は一般に入手しやすいため、急に地絡点探査の必要性が生じたときでも、すぐに入手でき、使用可能であるからである。
ここでの汎用電池は乾電池や、汎用電池型の充電電池と定義し、また専用電池は機器専用に作成された電池と定義する。
【先行技術文献】
【特許文献】
【００１０】
【特許文献１】特開平５−２７３２９１号公報
【非特許文献】
【００１１】
【非特許文献１】テンパール工業株式会社  営業本部、「直流電路地絡点携帯検出器」、テンパール総合カタログ２００９→２０１０、テンパール工業株式会社、２００９年４月１日、p. Ｆ-３５
【発明の開示】
【発明が解決しようとする課題】
【００１２】
ところで、発電所または変電所の直流設備で地絡が発生したときには、発電や変電などの運転に支障をきたす場合があり、しかもその影響は広範囲に及ぶから、地絡箇所の発見、復旧は緊急度が高い。地絡箇所の探査の必要性が生じた場合、地絡点探査装置においては、その電源である電池を取り付けたり、電池を交換する際に手間取り、時間を要すると、それだけ地絡箇所の発見、復旧作業に遅れが生じてしまい、影響が拡大してしまうおそれがある。
【００１３】
しかし、非特許文献１の携帯器においては、その電源となる汎用電池が携帯器の筐体内部に収容されている内部ユニットに設けられている。このため地絡探査の作業にあたり、電池交換を行うためには、まず、筐体の周囲に取り付けられている固定バンドを取り外し、内部ユニットのロックを解除する。次に前記内部ユニットの表面両端に設けられている取手を両手でつかんで、持ち上げ、内部ユニットを取り出す。そして、その内部ユニットから電池を取り出し、又は取り付ける操作を行う必要がある。即ち、この携帯器においては、地絡点探査を行う場合には、該携帯器を首からつり下げ使用するが、電池交換する際には首から吊り下げた状態では電池交換が行えず、該携帯器を地面などに一旦降ろす必要があった。しかも両手を使って内部ユニットを取り出す必要があるため、手に持った変流器などを一旦手放す必要があり、電池交換作業のために約５〜１０分の時間を要していた。
【００１４】
本発明は、上記の課題を解決するためになされたもので、装置本体を吊り下げバンドによって首からつり下げ、人の前面位置において装置本体を保持した状態のまま、素早く電池交換が可能な携帯型の地絡点探査装置を提供することを目的としている。
【課題を解決するための手段】
【００１５】
本発明に係る携帯型の地絡点探査装置は、上述の課題を解決すべく構成されたもので、請求項１記載の地絡点探査装置は、装置本体を吊り下げバンドによって首からつり下げ、作業者の前方位置において装置本体を保持し、汎用電池を電源とする携帯型の地絡点探査装置において、汎用電池の交換時期を表示する表示部と、装置本体の上面に設けられ、汎用電池を着脱自在とした電池収容部を備えることを特徴とするものである。
なお、前記携帯器とは、作業者が携帯して使用するものと定義する。また、汎用電池は乾電池や、汎用電池型の充電電池と定義する。
【００１６】
かかる構成によれば、本体ケース上面に汎用電池が着脱自在となった電池収容部が設けられているため、表示部で汎用電池の交換時期が表示された場合、本体ケースを吊り下げバンドによって首からつり下げ、作業者の前面位置において本体ケースを使用状態のまま、本体ケース上面に設けられた電池収容部から古い電池を取り外し、新しい電池を取り付けることができる。これにより、装置を一旦おろす必要がないため、首から吊り下げた状態のままで素早く、約１分程度で電池交換ができる。
【００１７】
請求項２記載の発明は、前記表示器が本体上面に設けられており、前記表示部が作業者から見て前記電池収容部より前方に設けられていることを特徴とする。
【００１８】
請求項２記載の発明によれば、前記表示器が本体上面に設けられており、前記表示部が前記電池収容部より前方にあることで、首から吊り下げた状態のまま作業者が表示部と電池収容部を同時に確認することができ、表示部に電池交換の表示があれば、手や汎用電池によって表示部が隠れずに、表示部を確認しながらより素早く電池交換をすることができる。
【００１９】
請求項３記載の発明は、前記電池収容部には電池を覆い隠す電池蓋部が設けられており、前記電池蓋部には前記電池蓋部を開閉操作する開閉操作部が備えてあり、前記開閉操作部は作業者から見て、電池蓋部の前方に設けられていることを特徴とする。
【００２０】
請求項３の記載の発明によれば、前記開閉操作部は作業者から見て、電池蓋部の前方に設定されているため、首から吊り下げた状態のまま作業者が表示部と電池収容部を同時に確認することができる。そして、仮に電池蓋部が取り外し出来る場合は、例えば前記開閉操作部が電池蓋部の作業者寄りに設定されていた場合には、該電池蓋部の開閉操作時に表示部が手で隠れてしまうが、前記開閉操作部は作業者から見て前方に設定されているため、前記表示部が手で隠れることがない。また仮にフタが取り外し出来る場合は、前記表示部に電池交換の表示があれば、前記電池蓋部の前記開閉操作部の反対側を仮あずけすることが出来るため、より素早く電池蓋部の取り付けができる。
【００２１】
請求項４記載の発明は、前記電池収容部は汎用電池の長手方向が前後方向に向くように構成されていることを特徴とする。
【００２２】
請求項４の記載の発明によれば、前記電池収容部は着脱自在の汎用電池の長手方向が前後方向に向くように構成されていることによって、安定して素早く電池交換ができる。仮に電池収容部の方向が前後方向に対し、左右方向に構成されていると、汎用電池の取り付け、取り外しの際に、装置本体を首から吊り下げた状態のまま汎用電池を仮あずけするために力を加えると、装置本体が力を加えた方向に左右に振れて安定せず、電池交換に時間がかかる。これに対し、装置本体を首から吊り下げた状態のまま、前記電池収容部は着脱自在の汎用電池の長手方向が前後方向に向くように構成されている場合には、電池の取り付け、取り外しの際に、装置本体を首から吊り下げた状態のまま、汎用電池を電池収容部の手前に仮あずけしても、加わる力は作業者の方向に伝わり、装置本体が作業者の前面位置において作業者の腹に当たって保持されるため安定し、装置本体の位置が振れずに、素早く電池交換が出来る。
【発明の効果】
【００２３】
以上の如く、本発明によれば、本体ケースを吊り下げバンドによって首からつり下げ、作業者の前方位置において本体ケースを保持した状態のまま、素早く電池交換が出来る。発電所または変電所において地絡が発生した場合には、電池交換にかかる時間を短縮し、早期に地絡箇所が特定できることにより、発電や変電などの運転に影響を極力及ぼさないようにして地絡点探査作業を行うことが出来る。
【図面の簡単な説明】
【００２４】
【図１】正面から見た実施形態にかかる装置の状態図
【図２】側面から見た実施形態にかかる装置の状態図
【図３】上面から見た実施形態にかかる装置の状態図
【図４】実施形態にかかる装置の制御ブロック図
【図５】実施形態にかかる装置の作業者を含めた装置の上面図
【図６】実施形態にかかる装置の表示部詳細図
【図７】実施形態にかかる装置の電池残量表示部の詳細図
【図８】実施形態にかかる装置の作業者を含めた開閉操作部に指をかけた状態の上面図
【図９】実施形態にかかる装置の作業者を含めた電池収容部に蓋を取り外す途中の状態、また取り付ける状態の上面図
【図１０】実施形態にかかる装置の作業者を含めた電池収容部に蓋を取り外し、電池がある状態の上面図
【図１１】実施形態にかかる装置の作業者を含めた電池収容部に蓋を取り外し、電池を取り外す途中の状態、また取り付ける状態の上面図
【図１２】実施形態にかかる装置の作業者を含めた電池収容部に蓋を取り外し、電池を取り外す途中の状態、また取り付ける状態の上面図
【図１３】実施形態にかかる装置の作業者を含めた電池収容部に蓋を取り外し、電池がない状態の上面図
【発明を実施するための形態】
【００２５】
次に本発明の実施形態を図１乃至図１３を用いて詳細に説明する。
【００２６】
携帯型の地絡点探査装置は探査信号発生器（図示略）と組み合わせて使用するものである。発電所または変電所で使用し、該発電所または変電所における配線路に発生する地絡箇所を探査するためのものである。本実施形態では、携帯型の地絡点探査装置を携帯器１とし説明を行う。
【００２７】
まず本発明の各部の説明と動作原理について説明する。
【００２８】
図１、図２、図３に示すように、携帯器１における本体ケース１１の前後左右の側面、底面の５面はアルミパネル１５ａで構成され、作業者が臨む表面側の１面は鉄製の表面パネル１５ｂによって長方形状の６面で本体ケース１１の外郭が形成される。本体ケース１１内部には空間があり、その空間には図中点線で示したプリント基板４が設けられる。前記本体ケースの左右側面４箇所に金属製の輪状金具１２が取り付けられている。右側面、左側面それぞれ１つの金具に吊り下げバンド１３のフック１３ａを取り付ける。
【００２９】
前記吊り下げバンド１３は布製で帯状であり、両端には前記フック１３ａが取り付けられており、本体ケース１１の前記輪状金具１２に取り付けられる。このように、本体ケース１１を吊り下げバンド１３によって首からつり下げ、人の前面位置において本体ケース１１を保持する状態にしている。
【００３０】
図４に示すように前記プリント基板４には、電池の電圧を変換し各部に供給する電源部４１と、変流器で検出した信号を増幅し不要な信号を取り除くフィルター部４２と、光ファイバーを介して得たの同期信号を電気信号に変換する同期信号変換部４３と、データを記録する不揮発性メモリー部４４と、データを処理するＣＰＵ部４５と、表示部とデータの送受信する表示データ通信部４６と、パソコンとデータを送受信するＵＳＢ通信部４７と、及び同期信号をカウントする発振器部４８とを備えている。
【００３１】
次に前記プリント基板４のＣＰＵ部４５の働きについて説明する。
前記ＣＰＵ部は、前記探査信号発生器（図示略）の探査信号を電気信号よってＣＰＵ部４５に取り込み、取り込んだ探査信号を前記発信器部４８でカウントし、ＣＰＵ部４５の内部に探査信号発生装置と同期した同期信号を発生させる。ＣＰＵ部４５は２つの装置の探査信号と同期信号が長時間に渡ってズレないように設定する。
【００３２】
図５に示すように、前記表面パネル１５ｂには、作業者からみて中央の前方位置に表示部３が設けられ、前記表示部３の作業者寄りに電池収容部２が設けられている。前記電池収容部２の左側には電源操作部１６が、前記電源操作部１６の作業者寄りに光ファイバーケーブル接続部１７が設けられ、また前記電池収容部２の右には変流器接続部１８が、前記変流器接続部１８の作業者寄りにＵＳＢケーブル接続部１９が、設けられている。これらはすべて本体ケース１１上面の表面パネル１５ｂに配置され、携帯器１を首から吊り下げた状態で作業者から一目で確認操作できるように構成されている。
【００３３】
前記電源操作部１６は、携帯器の電源のＯＮ・ＯＦＦ操作が出来る様に構成されている。
【００３４】
前記光ファイバー接続部１７は、前記探査信号発生器（図示略）の光ファイバーケーブル接続部（図示略）と光ファイバーケーブル（図示略）で接続され、地絡探査の準備工程で該探査信号発生器から出力される同期信号を内部に取り込むように構成されている。該同期信号を内部に取り込み、同期が完了した後は、前記光ファイバー接続部１７に接続された光ファイバーケーブル（図示略）の接続は取り外す。
【００３５】
前記変流器接続部１８には、地絡信号を検出する変流器１４が接続される。前記変流器１４は
探査信号を検出するもので、検査対象の電線をクランプして、地絡箇所を探すためのものである。前記変流器１４は先端が割れて開閉操作できる分割型の変流器を用いているため、電線を負荷機器から取り外すことなく、即ち停電させることなく自由な位置で検査対象の電線をクランプし、地絡箇所を探査することができる。
【００３６】
前記ＵＳＢケーブル接続部１９には、ＵＳＢケーブルを接続して、該ＵＳＢケーブルを介してパソコンと接続することによって、不揮発性メモリー部４４に記録した情報をパソコンへ送信するように構成している。
【００３７】
前記表示部３は矩形の液晶パネルで構成している。前記表示部はバックライトを備えており、暗い場所でも表示を確認することができる。また、液晶パネルはタッチパネル式でもあるため、指で押圧することによって操作が可能である。
【００３８】
前記表示部の表示内容を図６に示す。前記表示部３は抵抗分漏れ電流Ｉｒ３１、地絡抵抗３２、容量分漏れ電流Ｉｃ３３、対地静電容量３４、漏れ電流Ｉｏ３５、現在の日時３０、電池残量３６、が表示される。また設定ボタン３７、記録ボタン３８、閲覧ボタン３９、が配置される。
【００３９】
前記記録ボタン３８を押すと、表示内容が不揮発性メモリー部４４に記録される。次に前記閲覧ボタン３９を押すと不揮発性メモリー部４４に記録されたデータが閲覧できる。また前記設定ボタン３７を押すと、時刻設定や、地絡抵抗値３２があらかじめ設定した値より小さい値になると、画面の色が赤くなり、ブザーを鳴らすといった設定や、データを自動的に記録するという設定ができる。
【００４０】
前記電池収容部２は、図５、図１０、図１３に示すように、 単３型の汎用電池２３  ４本が収容される。これら汎用電池は収納状態においては並列に並べられる。なお、電気的には、前記汎用電池は電池バネ２４によって直列に接続され、内部回路が動作し得る電圧を確保している。前記汎用電池はプリント基板の電源部４１で電圧変換され各部に電源を供給する。電池収容部２は汎用電池２３を覆い隠す電池蓋部２１があり、電池収容部２、電池蓋部２１は樹脂により、また電池バネ２４は金属により、構成されている。
【００４１】
図７に示すように、前記表示部３の電池残量３６の表示は電池電圧に応じて３段階で表示される。電池電圧が４〜４．５Ｖの時は１段階、４．６〜５Ｖの時は２段階、５〜６Ｖの時は３段階となる。
【００４２】
前記単３汎用電池はアルカリ汎用電池、マンガン汎用電池が使用でき、またニッケル水素電池などの二次電池も使用できる。
【００４３】
次に、地絡探査作業する前の準備工程について説明する。
【００４４】
発電所または変電所の直流の設備地絡が発生し、電源とアース間の電圧バランスを測定する直流地絡過電圧継電器６４Ｄ（ロクヨンディー）の警報設定値を下回った場合、地絡警報が発報される。地絡が発生すると発電や変電などの運転に支障をきたし、事故が発生する可能性があるため、設備を保守する作業者は、早期に地絡箇所の発見をする必要がある。ここで、６４Ｄとは、ＪＥＭ１０９０（日本電機工業会規格１０９０）で定められた直流地絡過電圧継電器のことである。
【００４５】
まず、はじめに、携帯器１の光ファイバーケーブル接続部１７に、光ファイバーケーブルを接続する。また変流器接続部１８に変流器１４を接続する。
【００４６】
次に、前記電源操作部１６を操作し電源をＯＮし、前記探査信号発生器の探査信号と同期信号を、携帯型の地絡点探査装置１のＣＰＵ部４５に同期信号を記録する。同期信号の記録が終了すると光ファイバーケーブルを携帯型の地絡点探査装置１から取り外す。また、変流器１４を前記探査信号発生器のクランプコイル部から取り外す。以上のような手順で準備工程を行う。
【００４７】
次に、地絡点探査作業について説明する。
【００４８】
まず、作業者は図１、図２に示すように、本体ケース１１を吊り下げバンド１３によって首からつり下げ、作業者の前面位置において本体ケース１１を保持する。続いて、作業者は変流器１４を携帯し、発電所または変電所などの直流設備の上流の配線が設置された場所に移動する。
【００４９】
次に、上流の配線場所まで移動したら、目の前にあるフィーダーのＰＮ線夫々に変流器１４を変流器１４でクランプさせていく。そして、各フィーダーに変流器をクランプさせる度に、作業者は携帯器１を首から吊り下げた状態で、図６の表示部を確認する。
【００５０】
作業者は図６の表示部の抵抗分漏れ電流Ｉｒ３１、地絡抵抗３２を確認し、クランプしたフィーダに地絡が発生しているか否かを判断し地絡箇所を特定する。抵抗分漏れ電流Ｉｒ３１、地絡抵抗３２が表示された場合、現在クランプしているフィーダーの下流位置に地絡が発生していることが判断できる。一方、抵抗分漏れ電流Ｉｒ３１、地絡抵抗３２が表示されなかった場合には、そのフィーダーは正常であることが分かるため、別のフィーダーのＰＮ線を変流器１４でクランプするため場所を移動する。
【００５１】
地絡の発生があるフィーダーを特定できた場合は、そのフィーダーの下流において地絡が発生していることであるので、作業者は、該当するフィーダーのさらに下流へ移動する。移動は屋外や、離れた場所に移動することもあり、設備の規模によっては移動距離が長いこともある。
【００５２】
そして、下流において複数のフィーダーが分岐している場所において、夫々のフィーダーを順番に変流器１４でクランプしていき、この中でどのフィーダーに地絡が発生しているのかを特定する。特定の機器の電源の入り口と出口のＰＮ線を変流器１４クランプし、入り口をクランプしたとき抵抗分漏れ電流Ｉｒ３１、地絡抵抗R３２が表示され、特定の機器の電源の出口をクランプしたとき、抵抗分漏れ電流Ｉｒ３１、地絡抵抗R３２が表示されなければ、その特定の機器で地絡があることが特定できる。
【００５３】
フィーダーが更に分岐している場合には、より下流位置で分岐している場所に移動して地絡が発生しているフィーダーを特定する作業を繰り返す。
【００５４】
以上のように地絡点探査作業を行うのだが、移動距離が長かったり、フィーダーの特定が難航すると、地絡点探査作業の途中で、汎用電池の電池容量が消耗してしまうことがある。このようなときには、電池交換が必要となる。
【００５５】
次に、電池交換を行う場合について説明する。
【００５６】
地絡点探査中に電池残量３６が少なくなった場合、電池交換を行う。電池交換に時間がかかると地絡点の発見に時間を要し、発電や変電などの運転に支障をきたす場合があるため、電池交換は早急に行う必要がある。
【００５７】
地絡探査中は、図１、図２に示すように、本体ケース１１を吊り下げバンド１３によって首からつり下げ、人の前面位置において本体ケース１１を保持した状態のままで使用している。
【００５８】
初めに、首から吊り下げた状態で本体ケース１１上面に設けられた図６の表示部３に電池残量３の状態で確認できる。首から吊り下げた状態で、電池残量３６が１段階を表示すれば汎用電池の交換時期を認識することができる。そして、本体ケース１１上面に設けられ、汎用電池２３が着脱自在となった電池収容部２があるため、首から吊り下げた状態のまま電池交換作業を開始することができる。
【００５９】
次に、首から吊り下げた状態のまま、図８に示すとおり、作業者は前記電池収容部２の汎用電池２３を覆い隠す電池蓋部２１を開閉操作する開閉操作部２２に指をかける。そして、図９に示すように手前側に引き上げ、電池蓋部２１を取り外す。前記電池収容部２は作業者から見ると前記表示部３の手前側に配置されることで、電池交換の時に手や汎用電池によって表示部が隠れず、表示部３を確認しながらより素早く汎用電池２３の取り外しができる。
【００６０】
次に、首から吊り下げた状態のまま、図１１に示すとおり、前記電池収容部２の古い汎用電池２３の長手方向に指をかけて図１２のとおり取り外す。この場合も前記電池収容部２は作業者から見ると前記表示部３の作業者の手前に配置されることで、電池交換の時、手や汎用電池２３によって表示部３が隠れず、表示部３を確認しながらより素早く汎用電池２３の取り外しができる。
【００６１】
次に、図１１に示すとおり、汎用電池２３の長手方向の表示部３側に指をかけて、手前に引き上げて取り外す。このとき、電池収容部２の着脱自在の汎用電池２３の長手方向が前後方向に向くように配置されているため、図１２に示すとおり汎用電池を電池収容部２の手前に仮あずけし取り外しを行っても、本体が作業者の前面位置において保持されて安定するから、本体ケース１１が人の前面位置において本体ケース１１が作業者の腹に当たって動かず、素早く、汎用電池２３の取り外しができる。
【００６２】
次に、古い汎用電池２３の取り外しを行った後、新しい汎用電池２３を電池収容部２に取り付ける。図１２に示すとおり、まず新しい汎用電池２３を電池収容部２の手前に仮あずけをし取り付けを行う。前記電池収容部２の着脱自在の汎用電池２３の長手方向が前後方向に向くように配置されているため、新しい汎用電池２３を取り付けるとき、本体が人の前面位置において本体ケース１１を保持されるため、本体ケース１１が人の前面位置において本体ケース１１が作業者の腹に当たって動かないため、素早く、汎用電池２３の取り付けができる。
【００６３】
最後に、前記電池収容部２の汎用電池２３を覆い隠す電池蓋部２１を取り付ける。電池蓋部２の開閉操作部２２は作業者からみると表示部３側にあるため、首から吊り下げた状態のまま、図１２のとおり、電池蓋部２の開閉操作部２２の手前側を仮あずけする位置が確認でき、より素早く電池蓋部２１の取り付けができる。
【００６４】
以上のように、発電所または変電所において地絡が発生し、地絡が発生した箇所を特定する必要が生じた場合には、作業者は、速やかに地絡点探査作業を行うことができる。本発明における地絡点探査装置においては、地絡点探査作業中に電池交換の必要が生じた場合には、携帯器１を首から吊り下げた状態のまま、簡単に素早く電池交換が行うことができ、電池交換にかかる時間を短縮しつつ、早期に地絡箇所を特定することができる。
なお、本実施形態では、電池収納部を表面パネル１５ｂの中央部に設けたが、例えば、作業者からみて左寄り又は右寄りに左右方向にずらして配置しても、電池交換のときの仮あずけのときに加わる力を作業者が保持できる程度で配置の変更が可能である。
【符号の説明】
【００６５】
１      携帯器
１１    本体ケース
１２    金具
１３    つり下げバンド
１３ａ  フック
１４    変流器
１５ａ  アルミパネル
１５ｂ    表面パネル
１６    電源操作部
１７    光ファイバーケーブル接続部
１８    変流器接続部
１９    ＵＳＢケーブル接続部
２      電池収容部
２１    電池蓋部
２２    開閉操作部
２３    汎用電池
２４    電池バネ
３      表示部
３０    現在の日時
３１    Ｉｒ
３２    抵抗値
３３    Ｉｃ
３４    静電容量値
３５    Ｉｏ
３６    電池残量
３７    設定ボタン
３８    記録ボタン
３９    閲覧ボタン
４      プリント基板
４１    電源部
４２    フィルター部
４３    同期信号変換
４４    不揮発揮発性メモリー部
４５    ＣＰＵ部
４６    表示データ通信部
４７    ＵＳＢ通信部
４８    発信器部
【図１】
2014235071.tif 000003
【図２】
2014235071.tif 000004
【図３】
2014235071.tif 000005
【図４】
2014235071.tif 000006
【図５】
2014235071.tif 000007
【図６】
2014235071.tif 000008
【図７】
2014235071.tif 000009
【図８】
2014235071.tif 000010
【図９】
2014235071.tif 000011
【図１０】
2014235071.tif 000012
【図１１】
2014235071.tif 000013
【図１２】
2014235071.tif 000014
【図１３】
2014235071.tif 000015